(57)【要約】      （修正有）【課題】軽量化と放熱効率の向上を図り、且つ低コストにより製造できるＬＥＤライトを提供する。【解決手段】帯状の金属薄板をプレスで波形に成形したものを円錐状に円曲させて胴体部品８を成形し、この胴体部品８を口金２とレンズ５間に組み付けて放熱胴体部７を形成し、この中にＬＥＤ発光モジュールを組み付けることにより、駆動時に前記ＬＥＤ発光モジュールから発生する熱を前記放熱胴体部７から効率的に放熱を行うことができるようにする。【選択図】図２
0003156563.tif 000002
【実用新案登録請求の範囲】
【請求項１】
帯状の金属薄板を波形に成形したものを円錐状に円曲させて胴体部品を成形し、この胴体部品を口金とレンズ間に組み付けてランプの放熱胴体部を形成し、この中にＬＥＤ発光モジュールを組み付けることにより、駆動時に前記ＬＥＤ発光モジュールから発生する熱を前記放熱胴体部から効率的に放熱を行うように構成して成る照明用ＬＥＤランプ。
【請求項２】
前記胴体部品は、アルミニュウム製薄板で成形されていることを特徴とする請求項１に記載の照明用ＬＥＤランプ。
【請求項３】
前記胴体部品は、銅合金製薄板で成形されていることを特徴とする請求項１に記載の照明用ＬＥＤランプ。
【請求項４】
前記胴体部品の波形は、その長手方向に向けて同一ピッチで形成されていることを特徴とする請求項１に記載の照明用ＬＥＤランプ。
【請求項５】
前記胴体部品の波形は、その長手方向に対して直角方向に形成されていることを特徴とする請求項１に記載の照明用ＬＥＤランプ。
【請求項６】
前記胴体部品は、着脱自在に組み付けられていて、波形部に経年的に埃や油脂分等が付着した際には取り外して掃除を行い、放熱効果が減衰するのを防ぐことができるように構成されていることを特徴とする請求項１に記載の照明用ＬＥＤランプ。
【請求項７】
前記胴体部品の表面には、放熱塗料が塗布されていることを特徴とする請求項１に記載の照明用ＬＥＤランプ。
【請求項８】
前記胴体部品の放熱塗料には着色が施されていて、胴体部の色が画一的とならないように構成されていることを特徴とする請求項７に記載の照明用ＬＥＤランプ。
【考案の詳細な説明】
【技術分野】
【０００１】
本考案は、照明用ＬＥＤランプに関し、更に詳しくは、駆動時に内部に組み付けたＬＥＤ発光モジュールから発生する熱を効果的に放熱する胴体部の構造を持った照明用ＬＥＤランプに関する。
【背景技術】
【０００２】
照明用のＬＥＤランプの場合、白熱球（ランプ）に比較して内蔵したＬＥＤ発光モジュールから発生する熱容量が大きいため、ＬＥＤランプの胴体部の外周面には放射状に放熱リブ（フィン）が形成されている。
【０００３】
また、この放熱リブ付の胴体部は、アルミダイキャスト製であるため、放熱リブの肉厚を薄く形成するには成形上問題があるため、どうしても肉厚になり、また胴体部全体も肉厚に成形されているため、重量は白熱球に比較して数倍となっている。
【０００４】
例えば、特開２００９−４３６９４号公報には、胴体部に横縞状の放熱リブを多段に形成したＬＥＤランプが示されている。
【０００５】
その他、この放熱リブを胴体部の周囲において縦縞状に形成した例もある。
【先行技術文献】
【特許文献】
【０００６】
【特許文献１】特開２００９−４３６９４号公報
【考案の概要】
【考案が解決しようとする課題】
【０００７】
上記公知例のように、公知のＬＥＤランプにおける放熱リブは、胴体部と一体にアルミダイキャスト製であるため、胴体部の重量が白熱球に比較して数倍に達し、従来の白熱球からＬＥＤランプに取り替えた際、照明ユニットのソケット部分にかかる負荷が大きくなる。
【０００８】
特に、一ヶ所に多数のＬＥＤランプを取り付ける場合には、照明ユニットを取り付けている天井や壁あるいはユニット吊設ワイヤーを重量に十分に耐えられるものと交換する必要に迫られる場合もある。
【０００９】
また、重量ばかりでなく、アルミダイキャストボディの場合、肉厚をある程度大きくとる必要があるため、伝熱効率が低下して内部に熱がこもり、ＬＥＤ発光モジュールに悪い影響、つまり耐久性が低下するという問題がある。
【００１０】
また、この熱がこもる他の要因として、アルミダイキャストボディの場合、内面が平滑になっていることから、熱がこの平滑面で反射し、外のリブまで伝わりにくいという問題もある。
【００１１】
また、照明用のＬＥＤランプは、その特徴として長期間、例えば１０〜１５年間は使用が可能であるため、この期間中にボディの周囲に形成したリブ間に埃が溜り、油脂分の多い雰囲気の中においてはこの油脂分が付着して放熱効率が減衰するようになっても、水分は内部のＬＥＤ発光モジュールに悪い影響が出るため、そのまま水洗いができないという問題がある。
【００１２】
また、アルミダイキャストボディの場合、金型を含めて製造にコストがかかるという問題がある。
【００１３】
本考案は、斯る点に鑑みて提供されるものであって、その目的は、軽量で、放熱効率が高く、経年的に放熱効率が減衰するのを防ぐことができると共に、低コストにより製造可能な照明用ＬＥＤランプを提供することである。
【課題を解決するための手段】
【００１４】
上記課題を解決するため、請求項１に記載の考案は、帯状の金属薄板を波形に成形したものを円錐状に円曲させて胴体部品を成形し、この胴体部品を口金とレンズ間に組み付けてランプの放熱胴体部を形成し、この中にＬＥＤ発光モジュールを組み付けることにより、駆動時に前記ＬＥＤ発光モジュールから発生する熱を前記放熱胴体部から効率的に放熱を行うことができるように構成して成るものである。
【００１５】
また、請求項２に記載の考案は、請求項１に記載の照明用ＬＥＤランプにおいて、胴体部品は、アルミニュウム製薄板で成形されていることを特徴とするものである。
【００１６】
アルミニュウムは、伝熱性が良好なため、放熱効率の向上を図ることができる。
【００１７】
更に、請求項３に記載の考案は、請求項１に記載の照明用ＬＥＤランプにおいて、胴体部品は、銅合金製薄板で成形されていることを特徴とするものである。
【００１８】
銅合金は、伝熱性が良好なため、放熱効率の向上を図ることができる。
【００１９】
更に、請求項４に記載の考案は、請求項１に記載の照明用ＬＥＤランプにおいて、胴体部品の波形は、その長手方向に向けて同一ピッチで形成されていることを特徴とするものである。
【００２０】
この考案によると、ランプにおいて縦縞状の波形とすることができる。
【００２１】
更に、請求項５に記載の考案は、請求項１に記載の照明用ＬＥＤランプにおいて、胴体部品の波形は、その長手方向に対して直角方向に形成されていることを特徴とするものである。
【００２２】
この考案によると、ランプにおいて横縞状の波形とすることができる。
【００２３】
更に、請求項６に記載の考案は、請求項１に記載の照明用ＬＥＤランプにおいて、胴体部品は、着脱自在に組み付けられていて、波形部に経年的に埃や油脂分等が付着した際には取り外して掃除を行い、放熱効果が減衰するのを防ぐことができるように構成されていることを特徴とするものである。
【００２４】
この考案によると、ランプの長寿命化を図ることができる。
【００２５】
更に、請求項７に記載の考案は、請求項１に記載の照明用ＬＥＤランプにおいて、胴体部品の表面には、放熱塗料が塗布されていることを特徴とするものである。
【００２６】
この考案によると、放熱効率を更に高めることができる。
【００２７】
更に、請求項８に記載の考案は、請求項７に記載の照明用ＬＥＤランプにおいて、胴体部品の放熱塗料には着色が施されていて、胴体部の色が画一的とならないように構成されていることを特徴とするものである。
【００２８】
この考案によると、ランプの設置場所の雰囲気に合わせたデザインとしたり、個人の好みに合った色彩のランプを提供できる。
【考案の効果】
【００２９】
本考案の効果は次のとおりである。
１．口金とレンズ間の胴体部を波形の金属薄板で構成したことにより、従来のアルミダイキャストボディのものに比較してランプの総重量を大幅に軽減することができる。
【００３０】
２．胴体部が波形の金属薄板製であることと、この金属薄板を伝熱性の大きいアルミニュウム又は銅合金薄板製とすることにより、ランプ内の熱を効率的に放出できる。
【００３１】
３．胴体部を波形の金属薄板製としたことにより、この波形の加工を金型やプレスで容易になすことができると共に波の高さやピッチを適正に設計することにより、伝熱面積、つまり放熱効率をランプの出力に合ったものに設計することができる。
【００３２】
４．胴体部の波形は外と同様ランプ内にも形成されていることから、ＬＥＤ発光モジュールから発生した熱が従来のダイキャストボディのように平滑面で反射し、内部にこもる心配がないと共に、この非反射性に併せてランプ内での伝熱面積の拡大が図られているため、放熱効率が格段に向上する。
【００３３】
５．胴体部品を口金とレンズ間において着脱自在に構成したことにより、経年的に胴体部品、特に波形の谷部に溜った埃や付着した油脂分を除去するために、胴体部分を取り外して水洗いを行い、放熱効率の減衰を防ぐことができる。
【００３４】
６．胴体部品の表面に放熱塗料を塗布したことにより、放熱効率の更なるアップが期待できると共に放熱塗料に色の違うものを適宜選択することにより、色違いのＬＥＤライトを提供できる。この結果、白熱球の場合は裸電球と云った悪いイメージがあったが、場所の雰囲気にマッチした照明を演出したり、個人の好みに合った色のＬＥＤランプの提供を行うことができる。
【００３５】
７．胴体部品は、金属薄板を金型やプレスを用いて波形に加工するだけのため、低コストで製造ができる。
【図面の簡単な説明】
【００３６】
【図１】本考案に係る照明用ＬＥＤランプの説明図である。
【図２】Ａ−Ａ´線断面図である。
【図３】Ｂ−Ｂ´線断面図である。
【図４】胴体部構成部品である波形成形金属薄板の展開平面図である。
【図５】Ｃ−Ｃ´線断面図である。
【図６】本考案に係る照明用ＬＥＤランプの斜視図である。
【考案を実施するための形態】
【００３７】
本考案は、照明用ＬＥＤランプにおいて、軽量化と放熱効率のアップ及び製造コストの低減を図ることができる口金とレンズ間に挟まれた胴体部の構造について新規な提案を行うものである。
【００３８】
この胴体部は、従来例の場合、アルミニュウムダイキャストで成形していたが、このダイキャストボディの欠点を解消するのが本考案である。
【００３９】
また、ダイキャストボディでは得られない付加価値をつけてＬＥＤランプの将来性の中に省エネや長寿命と云った特徴に加えて、商品としての多様性を求めることができるＬＥＤランプを提供するものである。
【００４０】
このような特徴を持つＬＥＤランプを得るため、その胴体部を伝熱効率の高いアルミニュウム薄板や銅合金製薄板となし、この薄板に波形を加工することにより伝熱面積の拡大を図って放熱効率の向上を図り、製造コストの低減を可能にした点に特徴がある。
【実施例】
【００４１】
本考案の実施例を図１〜図６に基づいて詳細に説明する。
【００４２】
図１は、本考案に係る照明用ＬＥＤランプ（以下単に「ＬＥＤランプ」という。）を示すもので、このＬＥＤランプ１は、外形的には従来の白熱球のソケットにそのまま装着できるスクリューねじ３を有する口金２と、正面の光拡散レンズ（グローブ）５と、口金２とレンズ５間に組み付けられた胴体部７から成る。
【００４３】
このＬＥＤランプ１において、前記胴体部７は、図４及び図５に示すように、帯状のアルミニュウム薄板にプレスで波形９を加工して胴体部品８を成形し、これを円錐状に円曲させて両端を連結し、この両端８ａと８ｂを図２に示すように口金２側のブラケット４に形成した嵌合段部４ａとレンズ３を接着剤５ａで固定した固定プレート６の嵌合段部６ａ間にそれぞれ嵌合して組み付けられている。
【００４４】
この組み付けにおいて、胴体部品８の両端部８ａ、８ｂは、弾性作用でそのまま口金２側のブラケット４の嵌合段部４ａとレンズ５側の固定プレート６の嵌合段部６ａにそれぞれ固く嵌合し、カシメられ、更に接着剤で固定されている。但し、ビス等により固定するようにしても良い。
【００４５】
したがって、接着剤以外のビス止めの場合は、ビスを取り外すことにより、胴体部７を取り外すことができる。
【００４６】
このように、取り外しが可能であることにより、胴体部７の波形部９に埃等が付着した際は、取り外して図４に示すように展開すれば、奇麗に埃や汚れを落したり、水洗いを行うことができる（請求項６）。
【００４７】
なお、本実施例の波形９はＬＥＤランプ１において口金２からレンズ５方向に向いた縦縞状となっているが、横縞状に形成しても良い。但し、この横縞状に薄板をプレスした場合、円曲させることはできないので、この時は円錐形状の金型を用いて胴体部７の成形と波形９の成形を同時に行う必要がある。
【００４８】
また、本実施例において、胴体部品８はアルミニュウム薄板であるが、伝熱率の高い金属板ならばアルミ合金あるいは銅合金製でも良いし、伝熱性が高く、加工性の良い材質ならば利用可能である（請求項３）。
【００４９】
また、本実施例では、胴体部７はアルミニュウム地金そのものであるが、表面に公知の放熱塗料を塗布して放熱効率を高めたり（請求項７）、着色を施こしてカラフルな胴体部７としても良い（請求項８）。
【００５０】
図２において、１０はブラケット固定プレート、１１は電源基板、１２は電源基板固定板、１３はＬＥＤ基板である。
【産業上の利用分野】
【００５１】
・照明用ＬＥＤライト
・ＬＥＤダウンライト
【符号の説明】
【００５２】
１  ＬＥＤライト
２  口金
３  スクリューねじ
４  ブラケット
５  レンズ
６  固定プレート
７  胴体部
８  胴体部品
９  波形
１０  ブラケット固定プレート
１１  電源基板
１２  電源基板固定板
１３  ＬＥＤ基板
【図１】
0003156563.tif 000003
【図２】
0003156563.tif 000004
【図３】
0003156563.tif 000005
【図４】
0003156563.tif 000006
【図５】
0003156563.tif 000007
【図６】
0003156563.tif 000008